(57)【要約】【課題】ＦＰＣ等の接続対象物が外力によって容易に移動しないようにしてコネクタの損傷を防止し、また、コネクタを基板から取り外さずにメインテナンスを行える検査装置を提供する。【解決手段】レバー１９は、ベースフレーム１６の軸受に支持される第１シャフト２５を中心として回転できる。プッシャ２２は、レバーに第２シャフト２６によって取り付けられる。まず、レバーを右回転すると、プッシャが上昇するので、ＦＰＣガイド１８のＦＰＣ挿入口１８ａは開く。したがって、ＦＰＣ３１を検査装置１に挿入できる。次に、レバーを左回転すると、プッシャはＦＰＣをＦＰＣガイドに押圧するので、ＦＰＣはクランプ部においてクランプされる。更に、レバーを左回転すると、プッシャＦＰＣ及びＦＰＣガイドが下降し、ＦＰＣは基板１３上に保持されているフィルムコネクタ１４と接続する。【選択図】  図７
2008249661.tif 000002
【特許請求の範囲】
【請求項１】
検査対象物を検査する検査装置において、
前記検査装置は、基板と、前記基板と前記検査対象物間を接続するコネクタと、前記コネクタを保持する保持部材と、ベース部材と、前記ベース部材に回転可能に保持される操作部材と、前記操作部材を前記基板と前記検査対象物との接続方向に向けて常時付勢する第１弾性部材とを有し、
前記操作部材は、前記検査対象物を前記コネクタに向けて押圧する押圧部材と、前記検査対象物が挿入され、かつ、位置決めするガイド部と、前記押圧部材と前記ガイド部とを当接させる方向に向けて常時付勢する第２弾性部材とを有し、
前記検査対象物を検査する際、前記操作部材を前記第１弾性部材の付勢方向とは反対方向に押圧することにより、前記押圧部材と前記ガイド部とが離間し、前記検査対象物を前記ガイド部に挿入して、前記操作部材の押圧を解除することにより、前記押圧部材と前記ガイド部とが前記検査対象物を挟持した後、前記検査対象物を前記コネクタに向けて押圧し接続することを特徴とする検査装置。
【請求項２】
前記検査装置は、基板部分と機構部分に分割可能であり、
前記基板部分は、前記基板、前記基板を載置する基台、前記コネクタ及び前記保持部材を有し、
前記機構部分は、前記ベース部材、前記操作部材、前記押圧部材、前記ガイド部、前記第１弾性部材及び前記第２弾性部材を有し、
前記基板部分と前記機構部分は、組み立てられて固定部材によって固定されることを特徴とする請求項１記載の検査装置。
【発明の詳細な説明】
【技術分野】
【０００１】
本発明は、ＦＰＣ（Ｆｌｅｘｉｂｌｅ  Ｐｒｉｎｔｅｄ  Ｃｉｒｃｕｉｔ）及びＦＦＣ（Ｆｌｅｘｉｂｌｅ  Ｆｌａｔ  Ｃａｂｌｅ）等の検査対象物の電気的特性を検査する検査装置に関し、詳しく述べると、検査装置に対する検査対象物の挿入、クランプ及び検査対象物とコネクタの接続に関する。
【背景技術】
【０００２】
従来の検査装置について図１２〜図１４を参照して説明する。
【０００３】
図１２は検査装置４１の断面図、図１３は検査装置４１の斜視図、図１４は検査装置４１の分解斜視図を、それぞれ示す。下カバー（基台）４２上には、基板４３が搭載され、基板４３上には、ベースフレーム４４が搭載されている。ベースフレーム４４の前方半部と基板４３の間には、インナーフレーム４５が設置されている。ベースフレーム４４には、上カバー４６が嵌合用圧縮コイルばね４７に付勢されてシャフト４８を中心として回転可能に取り付けられている。
【０００４】
基板４３の前部には、フィルムコネクタ４９が取り付けられ、フィルムコネクタ４９の一部は基板４３とインナーフレーム４５の間に位置する。
【０００５】
下カバー４２、基板４３、インナーフレーム４５及びベースフレーム４４の前部には、プッシャ５０が上下移動可能に設置されている。
【０００６】
図１２において、ＦＰＣ６１がインナーフレーム４５のＦＰＣ挿入口４５ａに挿入された後、上カバー４６をシャフト４８を中心として左回転すると、上カバー４６の左側下面がプッシャ５０の上部を押圧する。したがって、プッシャ５０は下降するので、ＦＰＣ６１はフィルムコネクタ４９と接続する。
【０００７】
フィルムコネクタ４９をメインテナンスする際、検査装置４１を分解し、フィルムコネクタ４９を基板４３から取り外す。
【０００８】
この種の検査装置は、本出願前に頒布された刊行物に記載されている（例えば、特許文献１参照。）。
【０００９】
なお、フィルムコネクタは、本出願前に頒布された刊行物に記載されている（例えば、特許文献２参照。）。
【００１０】
【特許文献１】特開２００６−３４３２６９号公報
【特許文献２】特開２００５−３４０１５３号公報
【発明の開示】
【発明が解決しようとする課題】
【００１１】
前記従来の検査装置は、次の欠点を有する。まず、ＦＰＣの接点とフィルムコネクタの接点以外の箇所では、ＦＰＣとフィルムコネクタは、接触しておらず、また、接触圧力のみで保持されている。したがって、ＦＰＣは、外力によって容易に移動することができる。よって、ＦＰＣはフィルムコネクタに対して接触した状態でずれるため、フィルムコネクタは損傷する。
【００１２】
また、フィルムコネクタをメインテナンスする際、基板から取り外すが、フィルムコネクタをピンセット等を使用して基板に対して取付け・取外しする作業が煩雑である。更に、フィルムコネクタを損傷する恐れが生じる。
【００１３】
そこで、本発明は、前記従来の検査装置の欠点を改良し、ＦＰＣ等の接続対象物が外力によって容易に移動しないようにしてコネクタの損傷を防止し、また、コネクタを基板から取り外さずにメインテナンスを行うことができる検査装置を提供しようとするものである。
【課題を解決するための手段】
【００１４】
本発明は、前記課題を解決するため、次の手段を採用する。
【００１５】
１．検査対象物３１を検査する検査装置１において、前記検査装置は、基板１３と、前記基板と前記検査対象物間を接続するコネクタ１４と、前記コネクタを保持する保持部材１５と、ベース部材１６と、前記ベース部材に回転可能に保持される操作部材１９と、前記操作部材を前記基板と前記検査対象物との接続方向に向けて常時付勢する第１弾性部材２０とを有し、前記操作部材は、前記検査対象物を前記コネクタに向けて押圧する押圧部材２２と、前記検査対象物が挿入され、かつ、位置決めするガイド部１８と、前記押圧部材と前記ガイド部とを当接させる方向に向けて常時付勢する第２弾性部材２４とを有し、前記検査対象物を検査する際、前記操作部材を前記第１弾性部材の付勢方向とは反対方向に押圧することにより、前記押圧部材と前記ガイド部とが離間し、前記検査対象物を前記ガイド部に挿入して、前記操作部材の押圧を解除することにより、前記押圧部材と前記ガイド部とが前記検査対象物を挟持した後、前記検査対象物を前記コネクタに向けて押圧し接続する検査装置。
【００１６】
２．前記検査装置は、基板部分と機構部分に分割可能であり、前記基板部分は、前記基板、前記基板を載置する基台１２、前記コネクタ及び前記保持部材を有し、前記機構部分は、前記ベース部材、前記操作部材、前記押圧部材、前記ガイド部、前記第１弾性部材及び前記第２弾性部材を有し、前記基板部分と前記機構部分は、組み立てられて固定部材２８によって固定される前記１記載の検査装置。
【発明の効果】
【００１７】
明細書の説明から明らかなように、本発明は、次の効果を奏する。
【００１８】
１．押圧部材とガイド部とが協働して検査対象物（ＦＰＣ等）を挟持した後、検査対象物をコネクタに向けて押圧し接続する。したがって、接続対象物は外力によって容易に移動しないので、コネクタは接続対象物との摩擦等による損傷を防止される。
【００１９】
２．検査装置は基板部分と機構部分に分割可能であり、基板部分は基板、基板を載置する基台及びコネクタ等から構成され、機構部分はベース部材、操作部材、押圧部材、ガイド部、第１弾性部材及び第２弾性部材等から構成される。基板部分と機構部分は、組み立てられてねじによって固定される。したがって、コネクタを基板から取り外さずにメインテナンスを簡便に行うことができる。
【発明を実施するための最良の形態】
【００２０】
本発明の一実施例の検査対象物（ＦＰＣ等）を検査する検査装置について説明する。
【実施例１】
【００２１】
本発明の実施例１の検査装置１について図１〜図１１を参照して説明する。
【００２２】
まず、図１は、検査装置１の全体の斜視図である。ベースフレーム１６の前部には、ＦＰＣ（後述する。）を検査装置１に挿入するために、ＦＰＣガイド１８が設置され、ＦＰＣガイド１８にＦＰＣ挿入口１８ａが設けられている。ベースフレーム１６の上部には、ＦＰＣを検査装置１に挿入するときに操作するレバー１９が回転可能に設置されている。後述する基板１３の後部には、Ｉ／Ｏコネクタ３０が設置されている。
【００２３】
図２は、検査プローブ１１の分解斜視図である。下カバー（基台）１２上には、基板１３が搭載され、基板１３上には、ベースフレーム１６が搭載されている。また、基板１３上には、フィルムコネクタ１４がコネクタ押え１５によって保持されている。
【００２４】
ベースフレーム１６の両側の凹部１６ａにガイドフレーム１７の両側の凸部１７ａがそれぞれはまることによって、ガイドフレーム１７はベースフレーム１６に上下方向にスライドできるように取り付けられている。ＦＰＣガイド１８は、ガイドフレーム１７に固定されている。
【００２５】
ベースフレーム１６の軸受１６ｂに第１シャフト２５が支持され、第１シャフト２５にレバー（操作部材）１９の第１孔１９ａがはめられ、レバー１９は一対の嵌合用圧縮コイルばね２０に付勢されて第１シャフト２５に回転可能に取り付けられている。
【００２６】
レバー１９の第２孔１９ｂに第２シャフト２６が支持され、第２シャフト２６にプッシャ２２が取り付けられている。プッシャ２２は、ガイドフレーム１７に上下方向に若干スライドできるように収容されている。ガイドフレーム１７の両側の上部に設けられている突出部１７ｂに、それぞれクランプ用圧縮コイルばね押え２３の両側に設けられている孔２３ａがはまる。クランプ用圧縮コイルばね押え２３とプッシャ２２の間に配設されている一対のクランプ用圧縮コイルばね２４は、プッシャ２２を下方に押圧する。
【００２７】
レバー１９の第３孔１９ｃに第３シャフト２７が支持され、第３シャフト２７の両端側にそれぞれ駆動アーム２１の上下方向に長い第１長孔（トラック形状の長い孔）２１ａがはまる。各駆動アーム２１は、略Ｌ字形状に構成され、ＦＰＣの挿入方向に延設される基部２１ｄと基部２１ｄの一端側から基部２１ｄと直交する方向に延設される延設部２１ｅとを有する。基部２１ｄの一端側付近に第１長孔２１ａ、基部２１ｄの他端側付近に左右方向に長い第２長孔２１ｂ、基部２１ｄの一端側に突出する突出部２１ｃが、それぞれ設けられている。
【００２８】
各第２長孔２１ｂはガイドフレーム１７の両側の突出ピン１７ｃにそれぞれはまり、各突出部２１ｃはレバー１９の両側の係合部１９ｄとそれぞれ係合する。
【００２９】
図３は、フィルムコネクタ１４の斜視図であるが、フィルムコネクタ１４は、本出願前に周知であるので、詳細な説明は省略する。
【００３０】
図４は、ＦＰＣ３１がフィルムコネクタ１４と接続している状態を示す。プッシャ２２は、ＦＰＣ３１をＦＰＣガイド１８に押圧し、また、ＦＰＣ３１をフィルムコネクタ１４に押圧して接続する。
【００３１】
図５は、レバー１９を押圧回転させてＦＰＣ３１を検査装置１に挿入した状態を示す。プッシャ２２は、上昇して一対のクランプ用圧縮コイルばね２４を圧縮している。レバー１９を第１シャフト２５を中心として右回転すると、ガイドフレーム１７、ＦＰＣガイド１８及びプッシャ２２は上昇するが、ＦＰＣガイド１８がベースフレーム１６のストッパ部１６ｃ（図６（Ｄ）参照）に突き当たると、ガイドフレーム１７及びＦＰＣガイド１８はそれ以上の上昇を阻止される。以後は、プッシャ２２のみが、上昇する。その理由は、各駆動アーム２１の第１長孔２１ａによる各駆動アーム２１の上下方向への移動が可能なためである。したがって、図５（Ｂ）に示されるように、プッシャ２２の下面とＦＰＣガイド１８のＦＰＣ３１を載置するＦＰＣ載置面１８ｂの上面の間に隙間が生じ、すなわち、ＦＰＣ挿入口１８ａが開くので、ＦＰＣ３１を検査装置１に挿入することができる。この際、ＦＰＣ３１は、フィルムコネクタ１４と接触しないので、フィルムコネクタ１４を損傷しない。
【００３２】
図６は、検査装置１におけるレバー１９の開操作の諸段階の正面側から見た断面図と側面側から見た断面図を示す。（Ａ）と（Ｂ）は、第１段階、すなわち、初期状態（ＦＰＣ３１を検査装置１に挿入する以前の状態）である。（Ｃ）と（Ｄ）は第２段階である。レバー１９を矢印方向に押すと、プッシャ２２が各クランプ用圧縮コイルばね２４を圧縮し、プッシャ２２とＦＰＣガイド１８は共に上昇する。しかし、１．５ｍｍ上昇したとき、ＦＰＣガイド１８は、ベースフレーム１６のストッパ部１６ｃに突き当たって停止する。（Ｅ）と（Ｆ）は、第３段階である。更に、レバー１９を矢印方向に押すと、プッシャ２２のみが、０．５ｍｍ上昇するので、ＦＰＣ挿入口１８ａを開く。
【００３３】
図７（Ａ）〜（Ｃ）は、それぞれＦＰＣ３１の挿入状態、クランプ状態、フィルムコネクタ１４との接触状態を示す。図７（Ａ）は、図５と同様である。図７（Ｂ）は、ＦＰＣ３１がプッシャ２２とＦＰＣガイド１８によって挟持されてクランプ部においてクランプされている。図７（Ｃ）は、ＦＰＣ３１がフィルムコネクタ１４と接続している。
【００３４】
ＦＰＣ３１を検査装置１から抜出するときの操作は、前述した操作と逆の手順である。レバー１９の端部を押圧してレバー１９を右回転させ、ＦＰＣ３１をＦＰＣガイド１８とプッシャ２２とによりクランプした状態でフィルムコネクタ１４から離間し、更にレバー１９を押圧し回転すると、クランプが解除された後に、ＦＰＣ３１を検査装置１から抜出する。このように操作すると、ＦＰＣ３１がフィルムコネクタ１４と接触した状態で、ＦＰＣ３１を抜出することが生じないので、フィルムコネクタ１４の損傷が防止される。
【００３５】
図８（Ａ）と（Ｂ）は、従来の検査装置と本発明の実施例１の検査装置のＦＰＣとフィルムコネクタの接触状態の対照図である。（Ａ）は従来の検査装置であり、ＦＰＣ６１の接点部とフィルムコネクタ４９の接点部の接触部のみで、ＦＰＣ６１とフィルムコネクタ４９が接触して保持されている。したがって、ＦＰＣ６１は外力によって容易に移動することができるので、フィルムコネクタ４９は損傷する。
【００３６】
これに対して、図８（Ｂ）は、本発明の実施例１の検査装置である。ＦＰＣ３１の接点部とフィルムコネクタ１４の接点部の接触部の他に、ＦＰＣ３１をＦＰＣガイド１８とプッシャ２２とによりクランプするクランプ部が設けられる。各クランプ用圧縮コイルばね２４による接触圧力を前記接触部の接触圧力よりも強く設定することができるので、ＦＰＣ３１は、外力によって容易に移動することを防止される。したがって、フィルムコネクタ１４は、損傷を防止される。
【００３７】
図９は、本発明の実施例１の検査装置１が機構部分と基板部分に分割された状態の斜視図である。検査装置１は、基板部分（基板１３、下カバー１２、フィルムコネクタ１４及びコネクタ押え１５）と機構部分（その他のベースフレーム１６、ＦＰＣガイド１８、プッシャ２２及びレバー１９等）から構成されるが、両部分は、４本のねじ２８によって組み立てられて固定される。４本のねじ２８を外すことによって、検査装置１を機構部分と基板部分に簡易に分割することができるので、フィルムコネクタ１４を基板１３から外さずに、メインテナンスを行うことができる。
【００３８】
図１０は、検査装置１の接点方向による使用形態の断面図であり、（Ａ）は下接点使用時の初期状態、（Ｂ）は下接点使用時のＦＰＣ挿入口が開いた状態、（Ｃ）は上接点使用時の初期状態、（Ｄ）は上接点使用時のＦＰＣ挿入口が開いた状態を、それぞれ示す。
【００３９】
図１１は、検査装置１の接点方向による台座等への取付形態の斜視図である。（Ａ）は下接点使用時で、ベースフレーム１６に一対の固定用取付孔１６ｄが設けられ、各固定用取付孔１６ｄにねじが挿入されて、検査装置１は台座等に固定される。（Ｂ）は上接点使用時で、レバー１９に一対の固定用取付孔１９ｅが設けられ、各固定用取付孔１９ｅにねじが挿入されて、検査装置１は台座等（図示せず）に固定される。
【００４０】
本発明においては、ガイドフレーム１７とＦＰＣガイド１８を一体に１個の部品として構成することができる。
【００４１】
また、フィルムコネクタ１４が基板１３に安定して取り付けられれば、コネクタ押え１５を省略することができる。この場合には、基板が保持部材となる。
【００４２】
ベースフレーム１６とコネクタ押え１５とを一体化してフィルムコネクタ１４をベースフレーム１６に保持するように改造することができる。
【００４３】
更に、図９に示される基板部分と機構部分の分割構造において、ねじの本数を随意に選定することができる。また、ねじの代わりにクリップ等を用いて、基板部分と機構部分とを挟持するようにしてもよい。
【図面の簡単な説明】
【００４４】
【図１】本発明の実施例１の検査装置の斜視図である。
【図２】検査プローブの分解斜視図である。
【図３】同検査プローブに使用されるフィルムコネクタの拡大斜視図である。
【図４】同検査装置におけるＦＰＣと同フィルムコネクタの接触状態の拡大断面図である。
【図５】（Ａ）は同検査装置への同ＦＰＣの挿入状態の拡大断面図であり、（Ｂ）は（Ａ）における破線の円内の拡大断面図である。
【図６】同検査装置におけるレバーの開操作の諸段階の正面側から見た図と側面側から見た図であり、（Ａ）と（Ｂ）は第１段階、（Ｃ）と（Ｄ）は第２段階、（Ｅ）と（Ｆ）は第３段階を、それぞれ示す。
【図７】同検査装置の要部における同ＦＰＣの諸状態の断面図であり、（Ａ）は挿入状態、（Ｂ）はクランプ状態、（Ｃ）はフィルムコネクタとの接続状態を、それぞれ示す。
【図８】従来の検査装置と本発明の実施例１の検査装置のＦＰＣとフィルムコネクタの接触状態の対照図であり、（Ａ）は前者、（Ｂ）は後者を、それぞれ示す。
【図９】本発明の実施例１の検査装置が機構部分と基板部分に分割された状態の斜視図である。
【図１０】同検査装置の接点方向による使用形態の図であり、（Ａ）は下接点使用時の初期状態、（Ｂ）は下接点使用時のＦＰＣ挿入口が開いた状態、（Ｃ）は上接点使用時の初期状態、（Ｄ）は上接点使用時のＦＰＣ挿入口が開いた状態を、それぞれ示す。
【図１１】同検査装置の接点方向による台座等への取付形態の斜視図であり、（Ａ）は下接点使用時、（Ｂ）は上接点使用時を、それぞれ示す。
【図１２】従来の検査装置の断面図である。
【図１３】同検査装置の斜視図である。
【図１４】同検査装置の分解斜視図である。
【符号の説明】
【００４５】
１  検査装置
１１  検査プローブ
１２  下カバー、基台
１３  基板
１４  フィルムコネクタ
１５  コネクタ押え（保持部材）
１６  ベースフレーム（ベース部材）
１６ａ  凹部
１６ｂ  軸受け
１６ｃ  ストッパ部
１６ｄ  固定用取付孔
１７  ガイドフレーム
１７ａ  凸部
１７ｂ  突出部
１７ｃ  突出ピン
１８  ＦＰＣガイド（ガイド部）
１８ａ  ＦＰＣ挿入口
１８ｂ  ＦＰＣ載置面
１９  レバー（操作部材）
１９ａ  第１孔
１９ｂ  第２孔
１９ｃ  第３孔
１９ｄ  係合部
１９ｅ  固定用取付孔
２０  嵌合用圧縮コイルばね（第１弾性部材）
２１  駆動アーム
２１ａ  第１長孔
２１ｂ  第２長孔
２１ｃ  突出部
２１ｄ  基部
２１ｅ  延設部
２２  プッシャ、押圧部材
２３  クランプ用圧縮コイルばね押え
２３ａ  孔
２４  クランプ用圧縮コイルばね（第２弾性部材）
２５  第１シャフト
２６  第２シャフト
２７  第３シャフト
２８  ねじ（固定部材）
３０  Ｉ／Ｏコネクタ
３１  ＦＰＣ
【図１】
2008249661.tif 000003
【図２】
2008249661.tif 000004
【図３】
2008249661.tif 000005
【図４】
2008249661.tif 000006
【図５】
2008249661.tif 000007
【図６】
2008249661.tif 000008
【図７】
2008249661.tif 000009
【図８】
2008249661.tif 000010
【図９】
2008249661.tif 000011
【図１０】
2008249661.tif 000012
【図１１】
2008249661.tif 000013
【図１２】
2008249661.tif 000014
【図１３】
2008249661.tif 000015
【図１４】
2008249661.tif 000016